(57)【特許請求の範囲】
【請求項１】
汚水マスに汚水流入排水本管や汚水流出排水本管等の通水管を接続する時に穿孔する貫通孔の芯出し具に関するもので、通水管の先端部を取り付ける取付部と、汚水マスの外周面に芯出し位置をマーキングするマーカー部とから構成されてなるもので、取付部の軸心とマーカー部に設けるマーカーの軸心が同一軸心であることを特徴とする汚水マス穿孔芯出し具。
【請求項２】
芯出し具本体の後部に取付部を設けると共に、前部にマーカーを取り付けたマーカー部を設け、マーカーあるいはマーカー部を前後にスライド可能に設けてなることを特徴とする請求項１記載の汚水マス穿孔芯出し具。
【請求項３】
取付部に、各通水管の径に対応する取付溝を形設してなることを特徴とする請求項１又は２記載の汚水マス穿孔芯出し具。
【請求項４】
マーカーが、油性等のペンであることを特徴とする請求項１、２又は３記載の汚水マス穿孔芯出し具。
【請求項５】
マーカーが、アンテナ式に伸縮する形態であることを特徴とする請求項１、２、３又は４記載の汚水マス穿孔芯出し具。
【請求項６】
マーカーが、レーザー式であることを特徴とする請求項１、２又は３記載の汚水マス穿孔芯出し具。
【請求項７】
予め設置された汚水マスの外回りより汚水マスに向かって突出した各通水管の先端部に汚水マス穿孔芯出し具の取付部を取り付けた後、マーカー部に設けたマーカーにて汚水マスの表面に芯出しのマーキングを行う芯出し方法。
【発明の詳細な説明】
【０００１】
【発明の属する技術分野】
本発明は、汚水マスに汚水流入排水本管や汚水流出排水本管等の通水管を接続する時に穿孔する接続孔の芯出し具及び芯出し方法に関するものである。
【０００２】
【従来の技術】
図９に示すように、塩化ビニル等の樹脂製の汚水マスＯＭに対して汚水流入排水本管ａ及び汚水流入排水枝管ｂ及びｃと汚水流出排水本管ｄによってなる通水管を接続するための汚水マス穿孔の従来の方法としては、新設又は既設の各通水管端面ａ１・ｂ１・ｃ１・ｄ１の外径外周上の延長を汚水マスＯＭまで定規Ｇ等を汚水マスＯＭに接触するようあてがいマーキングする。
つまり、上記方法を水平方向に２ケ所、垂直方向に２ケ所の合計４ケ所のマーキングＭＫを行い、おおよその通水管外周接触点を見出す。
そして、マーキングＭＫの中心点Ｔを目視により定める工程によってなされる。
【０００３】
上記のような方法では、各通水管に定規Ｇ等を当て汚水マスＯＭに複数箇所マーキングする方法であり、マーキング作業に多大な時間と労力を要するものである。
また、通水管と後述する延長管を接続ソケットで接着接続して、さらに汚水マスＯＭに挿入接続する際、上記の定規Ｇ等及び目視によって穿孔芯出し点（中心点Ｔ）をマーキングＭＫして、さらにこれによる方法で穿孔された貫通孔は、実際に接続すべき汚水マスＯＭと通水管の延長管の中心点との間で差異が生じることになり、不正確な穿孔となる。
このため差異が過大な場合は通水管ａの汚水マスＯＭの貫通孔に挿入が困難となる。
これにより汚水マスＯＭの使用不可を生じたり、また差異が微少な場合でも汚水マスＯＭの貫通孔に通水管の後述する延長管と貫通孔に嵌合されたゴム製パッキンとの接触面の密着性に不均衡が発生し、これにより水密性が悪く、漏水するおそれを有している。
また、汚水マスＯＭに対して汚水流入排水本管ａ及び汚水流出排水本管ｄ以外に複数の汚水流入排水枝管ｂ・ｃ等を合流せしめる場合は、さらに上記の状況が著しく悪化するおそれがある。
すなわち、従来の定規Ｇ等の使用及び目視での通水管と汚水マスＯＭ接続のための穿孔芯出し方法は、正確性に劣る欠点を有している。
【０００４】
【発明が解決しようとする課題】
本発明は、汚水マスの外周面にマーカーにて芯出し位置を簡単・確実に、しかも正確にマーキングすることができると共に、特に技術を必要とせず、誰でも迅速に作業できるものである。
また、正確な位置に貫通孔を設けることができ、したがって通水管の延長管と貫通孔に嵌合されたゴム製パッキンとの接触面の密着性が均一となり、水密性を向上させてなる汚水マス穿孔芯出し具を提供するものである。
【０００５】
【課題を解決するための手段】
本発明は、上記の問題を解決する手段として、通水管の先端部を取り付ける取付部と、汚水マスの外周面に芯出し位置をマーキングするマーカー部とから構成されてなるもので、取付部の軸心とマーカー部に設けるマーカーの軸心が同一軸心であること。また、芯出し具本体の後部に取付部を設けると共に、前部にマーカーを取り付けたマーカー部を設け、マーカーあるいはマーカー部を前後にスライド可能に設けてなること。さらに、取付部に、各通水管の径に対応する取付溝を形設してなること。その上、マーカーが、油性等のペンであること。マーカーが、アンテナ式に伸縮する形態であること。さらにまた、マーカーが、レーザー式であることを特徴とする汚水マス穿孔芯出し具。
その上また、予め設置された汚水マスの外回りより汚水マスに向かって突出した各通水管の先端部に汚水マス穿孔芯出し具の取付部を取り付けた後、マーカー部に設けたマーカーにて汚水マスの表面に芯出しのマーキングを行う芯出し方法とする。
【０００６】
【発明の実施の形態】
以下、本発明の汚水マス穿孔芯出し具について図面に基づいて詳細に説明する。
汚水マス穿孔芯出し具１は、円筒状の芯出し具本体２の後部に、大径円筒状の取付部３を設けると共に、前部にマーカー４ａ（油性等のペン）を取り付けた円筒状のマーカー部４を芯出し具本体２に前後スライド可能に設け、取付部３の軸心Ｇ１とマーカー部４に設けたマーカー４ａの軸心Ｇ２が同一軸心であることを特徴としている。
なお、取付部３の内径３ａは取り付ける通水管の外径とほぼ同等とするものである。
【０００７】
次に、汚水マス穿孔芯出し具２１は取付部２３の底面に、各通水管の径に対応する取付溝３ｂ−−−を形設してなるものであり、これ一つで各通水管を個々に取り付けて使用できるものであり、非常に有効である。
【０００８】
汚水マス穿孔芯出し具３１は、芯出し具本体３２とマーカー部３４を同一体とし、その前面軸心Ｇ３上の先端にペン軸３４ａ１を設けたアンテナ式に伸縮する形態のマーカー３４ａを設けてなるもので、マーカー３４ａを伸ばすことにより簡単に芯出しすることができる。
【０００９】
汚水マス穿孔芯出し具４１は、マーカー部４４の前面軸心Ｇ４上に、レーザー式のマーカー４４ａを設けてなるもので、レーザー光の点を油性等のマーカーで印を付けるものであり、距離が長い場合に有効である。
【００１０】
次に、芯出し方法について説明する。
第１工程として、予め設置された汚水マスＯＭ１の外回りより汚水マスＯＭ１に向かって突出した、例えば汚水流入排水本管Ａの先端部に汚水マス穿孔芯出し具１の取付部３を差し込み取り付ける。
第２工程として、マーカー部４を前方にスライドさせ、マーカー４ａにて汚水マスＯＭ１の外周面に芯出し位置をマーキングするものである。
【００１１】
なお、同様に汚水流出排水本管Ｄや汚水流入排水枝管（図示せず）等にも同様な手順で芯出しを行うものである。
また、汚水マス穿孔芯出し具１に限定せず、汚水マス穿孔芯出し具２１・汚水マス穿孔芯出し具３１・汚水マス穿孔芯出し具４１についても同様に芯出しできるものである。
【００１２】
上記芯出し方法により芯出しされた汚水マスＯＭ２に対して、ホルソー等の穿孔機（図示せず）にて穿孔し、ゴムパッキンＰを貫通孔Ｋに嵌合させ、ゴムパッキンＰ内に延長管Ｌを圧入した後、接続ソケットＫＲにて汚水流入排水本管Ａ１と延長管Ｌを連結し、水密性を確実に保持できるものである。
【００１３】
なお、上記各実施例において、芯出し具本体及びマーカー部の形状は同様な効果であれば円筒状に限定せず、長さ（大きさ）についても必要に応じて決めればよい。
また、取付部及びマーカーにおいても同様な機能を有するものであれば他のものでもよく、水性ペン等も使用できる。
【００１４】
【発明の効果】
１）、汚水マス穿孔芯出し具において、汚水マスの外周面にマーカーにて芯出し位置を簡単・確実に、しかも正確にマーキングすることができる。
２）、取付部の軸心とマーカーの軸心を同一軸心に形成することにより精度が非常に高い。
３）、マーカー部を前後スライドさせることにより簡易にマーキングできる。
４）、アンテナ式のマーカーにより、多少距離が長くなってもマーキングできる。
５）、レーザー式のマーカーは、特に長い距離に有効である。
６）、芯出し方法においては、特に技術を必要とせず、誰でも迅速にマーキング作業ができる。
【図面の簡単な説明】
【図１】本発明の汚水マス穿孔芯出し具の第１実施例を示す一部縦断正面図。
【図２】本発明の汚水マス穿孔芯出し具の第１実施例を示す側面図。
【図３】本発明の汚水マス穿孔芯出し具の第２実施例を示す要部の縦断正面図。
【図４】本発明の汚水マス穿孔芯出し具の第２実施例を示す要部の側面図。
【図５】本発明の汚水マス穿孔芯出し具の第３実施例を示す正面図。
【図６】本発明の汚水マス穿孔芯出し具の第４実施例を示す要部の正面図。
【図７】本発明の芯出し方法の実施例を示す正面図。
【図８】本発明の芯出し方法による施工状態図。
【図９】従来例を示す斜視図。
【符号の説明】
１−−−汚水マス穿孔芯出し具
２−−−芯出し具本体
３−−−取付部
４−−−マーカー部
４ａ−−マーカー
Ｇ１−−軸心
ＯＭ１−汚水マス
Ａ−−−汚水流入排水本管
Ｄ−−−汚水流出排水本管
【図１】
0003972285.tif 000002
【図２】
0003972285.tif 000003
【図３】
0003972285.tif 000004
【図４】
0003972285.tif 000005
【図５】
0003972285.tif 000006
【図６】
0003972285.tif 000007
【図７】
0003972285.tif 000008
【図８】
0003972285.tif 000009
【図９】
0003972285.tif 000010